(57)【要約】      （修正有）【課題】比較的に低コストであるにもかかわらず導電性導管の過熱のない断層撮影システムの回路に電力を供給する。【解決手段】超伝導磁石１０８と、傾斜磁場コイル１１６と、冷却液により傾斜磁場コイル１１６を冷却する冷却装置とを有する断層撮影装置であって、冷却液を傾斜磁場コイル１１６に供給する送り分岐管１４０および冷却液を傾斜磁場コイル１１６から戻す戻り分岐管１４４を有する冷却回路１２６を備え、前記送り分岐管１４０および前記戻り分岐管１４４が冷却液導管を構成し、前記送り分岐管１４０および前記戻り分岐管１４４の夫々の少なくとも一部が導電性導管で形成され、電源１２４から前記超伝導磁石への電気的接続が前記導電性導管を通して行われる。【選択図】図１
2009172376.tif 000002
【特許請求の範囲】
【請求項１】
超伝導磁石（１０８）と、傾斜磁場コイル(１１６)と、冷却液により傾斜磁場コイル(１１６)を冷却する冷却装置とを有する断層撮影装置であって、
冷却液を傾斜磁場コイル（１１６）に供給する送り分岐管（１４０）および冷却液を傾斜磁場コイル（１１６）から戻す戻り分岐管（１４４）を有する冷却回路（１２６）を備え、
前記送り分岐管（１４０）および前記戻り分岐管（１４４）が冷却液導管を構成し、
前記送り分岐管（１４０）および前記戻り分岐管（１４４）の夫々の少なくとも一部が導電性導管で形成され、
電源(１２４)から前記超伝導磁石（１０８）への電気的接続が前記導電性導管を通して行われる断層撮影装置。
【請求項２】
前記電源（１２４）と前記導電性導管(１４０，１４４)とを電気的に接続するパッチリード線(２００，２０２)を更に有する請求項１に記載の断層撮影装置。
【請求項３】
前記超伝導磁石（１０８）と前記導電性導管(１４０，１４４)とを電気的に接続するパッチリード線(２０６，２１０)を更に有する請求項１または２に記載の断層撮影装置。
【請求項４】
超伝導磁石（１０８）と、傾斜磁場コイル(１１６)と、冷却液により傾斜磁場コイル(１１６)を冷却する冷却装置とを有する断層撮影装置であって、
冷却液を前記傾斜磁場コイル（１１６）に供給する送り分岐管（１２８）および冷却液を前記傾斜磁場コイル（１１６）から戻す戻り分岐管（１３０）を有する冷却回路（１２６）を備え、
前記送り分岐管（１２８）および前記戻り分岐管（１３０）が流体導管を構成し、
電源(１２４)から前記超伝導磁石（１０８）への電気的接続が第一導電性導管(１４０)および第二導電性導管（１４４）を通して行われ、
前記第一導電性導管(１４０)の孔の第一端が前記送り分岐管（１２８）の孔に流体的に接続され、前記第二導電性導管（１４４）の孔の第一端が前記戻り分岐管（１３０）の孔に流体的に接続され、
電気絶縁性橋絡管（１６０）が第一導電性導管（１４０）の第二端と第二導電性導管（１４４）の第二端とを流体的に接続し、
それにより前記第一導電性導管(１４０)および第二導電性導管（１４４）を冷却する冷却回路が設けられる断層撮影装置。
【請求項５】
超伝導磁石（１０８）と、傾斜磁場コイル(１１６)と、冷却液の流れにより傾斜磁場コイル(１１６)を冷却する冷却装置とを有する断層撮影装置であって、
冷却液を前記傾斜磁場コイル（１１６）に供給する送り分岐管（１２８）および冷却液を前記傾斜磁場コイル（１１６）から戻す戻り分岐管（１３０）を有する冷却回路（１２６）を備え、
前記送り分岐管（１２８）および前記戻り分岐管（１３０）が冷却液導管を構成し、
前記送り分岐管（１４０）および前記戻り分岐管（１４４）の夫々の少なくとも一部が導電性導管で形成され、
電源(３００)から前記傾斜磁場コイル（１１６）への電気的接続が前記導電性導管を通して行われる断層撮影装置。
【請求項６】
前記傾斜磁場コイル（１１６）と前記導電性管(１４０，１４４)とを電気的に接続するパッチリード線(２０６，２１０)を更に有する請求項５に記載の断層撮影装置。
【発明の詳細な説明】
【技術分野】
【０００１】
本発明は、作動に電力を必要とする例えば超伝導磁石を含み電力を必要とする磁気共鳴イメージングシステム、例えば断層撮影装置の回路に電源を接続するために使用される電源接続システムに関する。
【背景技術】
【０００２】
核磁気共鳴イメージング（ＭＲＩ）の分野において磁気共鳴イメージングシステムは一般に超伝導磁石と、傾斜磁場コイルシステムと、界磁コイルと、シムコイルと、検査対象者台から成っている。超伝導磁石は検査対象の核スピンを分極するための、Ｂ0磁界として知られる強い均一な静磁場を発生するために設けられている。傾斜磁場コイルシステムは一般に傾斜磁場を作るために超伝導磁石内に配置される三対の直交コイルから成る。使用時に検査されている対象者に関連した画像量の選択的空間励起を作るために傾斜磁場が集中的且つ連続的に静磁場に重畳される。
【０００３】
超伝導磁石の製造中、保守期間、そしてまた超伝導磁石の設置時には所望の静磁場を発生させるために直流(ＤＣ)電流により超伝導磁石を作動させるのが一般的である。超伝導磁石の冷却のための冷媒の“沸騰”を制御するために、制御された状態で超伝導磁石のコイルに電流を供給するプロセスを“ランピング(ramping)”と呼んでいる。同様に、それらを作動するために傾斜磁場コイルに電力を供給することも必要である。
【発明の開示】
【発明が解決しようとする課題】
【０００４】
しかしながら、超伝導磁石をランピングするに必要な電流送電用のリード線は、その過熱を防止するために大きな断面積を有していなければならず、そのためその重量が大きくなる。そのためにそして他の品質な理由により所謂“ランプリード(ramp lead)”は高価なものとなっている。
【０００５】
同様に、大電流となることにより傾斜磁場コイルを作動するためのリード線の断面積も大きくなりそして重量も大きく且つ高価になる。
【課題を解決するための手段】
【０００６】
本発明の第一の観点によれば、超伝導磁石と、傾斜磁場コイルと、冷却液により傾斜磁場コイルを冷却するための冷却装置とから成る断層撮影システムが提供される。この冷却装置は傾斜磁場コイルに冷却液を供給する送り分岐管と冷却液を傾斜磁場コイルから戻す戻り分岐管とからなる冷却回路を有する。送り分岐管および戻り分岐管の夫々は冷却液導管を構成する。送り分岐管および戻り分岐管の夫々の少なくとも一部は導電性導管で形成され、電源から超伝導磁石への電気的接続はそれらの導電性導管により行われる。
【０００７】
本発明の第二の観点によれば、超伝導磁石と、傾斜磁場コイルと、冷却液により傾斜磁場コイルを冷却するための冷却装置とから成る断層撮影システムが提供される。この冷却装置は、傾斜磁場コイルに冷却液を供給する送り分岐管と冷却液を傾斜磁場コイルから戻す戻り分岐管とからなる冷却回路を有する。送り分岐管および戻り分岐管は冷却液導管を構成する。電源から超伝導磁石への電気的接続はそれぞれ第一導電性導管および第二導電性導管により行われる。前記第一導電性導管の孔の第一端が前記送り分岐管の孔に流体的に接続され、前記第二導電性導管の孔の第一端が戻り分岐管の孔に流体的に接続される。電気絶縁性橋絡管が第一導電性導管の第二端と第二導電性導管の第二端との間を流体的に接続し、それにより前記第一導電性導管および第二導電性導管を冷却する冷却回路が設けられる。
【０００８】
本発明の第三の観点によれば、超伝導磁石と、傾斜磁場コイルと、冷却液により傾斜磁場コイルを冷却するための冷却装置とから成る断層撮影システムが提供される。この冷却装置は傾斜磁場コイルに冷却液を送る送り分岐管と冷却液を傾斜磁場コイルから戻す戻り分岐管とからなる冷却回路を有する。送り分岐管および戻り分岐管は冷却液導管を構成する。送り分岐管および戻り分岐管の少なくとも一部は導電性導管で形成される。電源から傾斜磁場コイルへの電気的接続はそれら導電性導管により行われる。
【０００９】
それゆえ、比較的に低コストであるにもかかわらず導電性導管の過熱のない断層撮影システムの回路に電力を供給する電力供給接続システムを提供することが出来る。電流を通すことの出来る冷却液導管を使用することで導管を冷却液と電流の両面的に使用出来るから、専用の電線の必要性が無くなり、使用される導電体（導電性導管）の重量とコストを減少することが出来る。或る実施例では“固体”電線群の設置の必要性および断線のないようにするための電線の位置設計の必要性を除くことで必要な空間を減らすことも出来る。更に、電線群の必要性の低下により、運送コストが減りそして現場での電線の組み立てに伴う運輸上の考慮が簡単になる。
【発明を実施するための最良の形態】
【００１０】
本発明の実施例を、添付する図面により説明する。
図１は本発明の一実施例を構成する電流用導体を用いる磁気共鳴イメージングシステム部分の概略を示し、
図２は本発明の他の実施例を構成する電流用導体を用いる磁気共鳴イメージングシステム部分の概略を示し、
図３は本発明の更に他の実施例を構成する電流用導体を用いる磁気共鳴イメージングシステム部分の概略を示している。
【００１１】
以下の説明では同一の参照数字は同様の部分を指している。
【００１２】
図１において、磁気共鳴イメージング（ＭＲＩ）システム１００は二つの区画の間、即ち、例えば所謂ファラデーケージを用いた無線周波（ＲＦ）透視部から分離された走査区画１０２と装置区画１０４の間に置かれている。両区画１０２，１０４の夫々には、後に明らかになる遮蔽目的のための補助天井１０６により天井空間１０７が形成される。超伝導磁石(図示せず)を囲むクライオスタット１１０を有する超伝導磁石ユニット１０８は走査区画１０２内に配置されている。クライオスタット１１０はその側部に形成されたターレット１１２内に配置された機械的な冷凍機（図示せず）を備えている。クライオスタット１１０は中心孔１１４を有し、この孔内に傾斜磁場コイル対１１６が配置されている。
【００１３】
走査区画１０２と装置区画１０４との間の隔壁１１８は、走査区画１０２のＲＦ遮蔽とは別に走査区画１０２と装置区画１０４との間の冷却材配管と電線ケーブルとを連結するためのＲＦ貫通パネル１２０に固定される。このＭＲＩシステムは電源接続システムを使用する。
【００１４】
これに関連して、水冷キャビネット１２２は超伝導磁石ユニット１０８の強い磁場の影響を避けて装置区画１０４側に配置される。可搬電源１２４も装置区画１０４内に配置されている。この実施例では電源１２４は空冷冷却される。電源１２４は可搬である必要はなく、装置区画１０４内に永久的に設置されてもよいことは当業者には自明である。磁石管理システムおよび、超伝導磁石の動作を制御する他の制御および測定装置は一個以上のシステム電子機器キャビネットに配置されている。超伝導磁石ユニット１０８は例えば界磁コイル、シムコイルおよび検査台のような他の装置も含んでいる。しかしながら、ＭＲＩシステム１００のこれら特徴は当業者には明らかであるから、説明の明確性および簡潔性のためにこれ以上の説明は控える。
【００１５】
傾斜磁場コイル１１６には電流が流れるから２０ＫＷ程の熱を発生する。そのため、特に、前述のように非常に低い温度に維持される超伝導磁石の発熱を防止するために傾斜磁場コイル１１６を冷却する必要がある。第一実施例では、水冷キャビネット１２２は、ゴム管又は他の適当な弾力性のある材料から形成され一部が天井空間１０７に伸びる冷却回路１２６に接続されている。冷却回路１２６の第一送り分岐管１２８が天井空間１０７に伸び、そして直接にＲＦ貫通パネル１２０を通過する。この第一分岐管１２８は走査区画側において補助天井１０６を通り天井空間１０７に入り天井空間１０７に沿って伸び、次いで下降して傾斜磁場コイル１１６の冷却のための適当な第一の管（図示せず）に接続される。同様に、冷却回路１２６の第二戻り分岐管１３０は装置区画側の天井空間１０７へ伸びそしてＲＦ貫通パネル１２０を通る。続いてこの第二戻り分岐管１３０は走査区画側において補助天井１０６を通り、天井空間１０７を通過し、下降して傾斜磁場コイル１１６の冷却のための適当な第二の管（図示せず）に接続される。
【００１６】
電源１２４の負端子１３４に接続される第一ランプリード（ramp lead）１３２は、ＲＦ貫通パネル１２０の走査区画側に接続する取り外し可能なサブパネルに入るまで天井空間１０７へ伸びる。同様に、電源１２４の正端子１３８に接続される第二ランプリード１３６は、ＲＦ貫通パネル１２０の走査側に接続する取り外し可能なサブパネルに入るまで天井空間１０７に伸びる。
【００１７】
ＲＦ貫通パネル１２０の走査区画側において、管状の第一導電性導管１４０はその第一端で第一接続部１４２に固定され、そして第一接続部１４２を介して正極用の第二ランプリード１３６に接続される。第一導電性導管１４０の第二端は、クライオスタット１１０内の超伝導磁石のコイル(図示せず)への正極接続用に備えられたターレット１１２の適当な第一コネクタ（図示せず）に接続される。同様に、第二導電性導管１４４はその第一端で第二接続部１４６に固定され、そして第二接続部１４６を介して負極用の第一ランプリード１３２に接続される。第二導電性導管１４４の第二端は、クライオスタット１１０内の超伝導磁石のコイル(図示せず)への負極接続のために備えられたターレット１１２の適当な第二コネクタ（図示せず）に接続される。
【００１８】
勿論、電源１２４が除去されるべきでない場合、第一ランプリード１３２および第二ランプリード１３６は、ＲＦ貫通パネル１２０の取り外し可能なサブパネルを通じてではなくフィルタ付コネクタを介して第二導電性導管１４４および第一導電性導管１４０に夫々接続しなければならないことは当業者には明らかである。
【００１９】
第一導電性導管１４０および第二導電性導管１４４は管状であり、夫々が例えば水のような冷却液を流すことが出来る孔を有している。この例では、第一導電性導管１４０および第二導電性導管１４４は例えば銅のような適当な導電材料で形成されそして弾性的に変形可能である。しかしながらそれに使用される材料により任意の適当な柔軟度を与えることが出来る。
【００２０】
第一流体入口ポート１４８が第一導電性導管１４０の第一端に設けられ、第一導電性導管１４０の孔と、冷却回路１２６の第一分岐管１２８の第一結合点１５０とが、第一分岐管１２８と同じ材料で形成された第一橋絡管１５２を介して流体的に接続される。勿論、必要であれば、例えば第一結合点１５０のような特別な流体結合ポートの必要性をなくすように第一分岐管１２８を形成しそして第一橋絡管１５２を第一分岐管１２８と一体に形成することが出来る。
【００２１】
第二流体入口ポート１５４が第二導電性導管１４４の第一端に設けられ、第二導電性導管１４４の孔と冷却回路１２６の第二分岐管１３０の第二結合点１５６とが、第二分岐管１３０と同じ材料で形成された第二橋絡管１５８を介して接続される。必要であれば、第二分岐管１３０を、例えば第二結合点１５６のような特別な流体結合ポートの必要性をなくすように第二分岐管１３０を形成しそして第二橋絡管１５８を第二分岐管１３０と一体に形成することが出来る。
【００２２】
第一導電性導管１４０の端部および第二導電性導管１４４の端部からの液漏れを防ぐために、第一導電性導管１４０および第二導電性導管１４４の端部に適当な終端部材を取り付けるかあるいはそれらの端部を終端部材と一体的に形成してもよく、又は夫々の孔を第一導電性導管１４０の端部および／または第二導電性導管１４４の端部に達する前に終端するように形成してもよい。実際にはそれらの孔の終端は第一導電性導管１４０の端部および／または第二導電性導管１４４の端部に特に近いところでなくてもよく、それらの端部からの距離は第一導電性導管１４０および／または第二導電性導管１４４の熱伝導度により決まり、たとえば約０．２ｍである。この距離は第一導電性導管１４０の孔および／または第二導電性導管１４４の孔とその固体端部(終端部)との間の断面積の整合性により変更することが出来る。
【００２３】
冷却流体の戻りを防ぐために、第三橋絡管１６０が第一導電性導管１４０の第二端部および第二導電性導管１４４の第二端部に設けられて第一導電性導管１４０の孔と第二導電性導管１４４の孔とを流体的に接続する。これに関し、第三流体入口ポート１６２が第一導電性導管１４０の第二端部に設けられ、第四流体入口ポート１６４が第二導電性導管１４４の第二端部に設けられる。第三橋絡管１６０は第三流体入口ポート１６２の端部と第四流体入口ポート１６４の端部との間に接続される。第三橋絡管１６０は、この例では、冷却回路１２６の第一分岐管１２８および第二分岐管１３０と同じ材料で形成されており、第一導電性導管１４０と第二導電性導管１４４との間の短絡を防ぐための絶縁体である。
【００２４】
明らかなように、第三橋絡管１６０と組み合わされた第一導電性導管１４０および第二導電性導管１４４は冷却回路１２６の付加物である別の冷却回路を形成する。第一導電性導管１４０および第二導電性導管１４４と第三橋絡管１６０で形成されるこの別の冷却回路は冷却回路１２６の分岐管と考えることが出来る。この例ではこの別な冷却回路は冷却回路１２６に所属する。
【００２５】
動作を述べると、傾斜磁場コイル１１６を冷却するために用いられる冷却流体は水冷キャビネット１２２に接続した冷却回路１２６内を巡回する。この冷却流体の幾分かは冷却回路１２６から漏れ或いは逸れて第一導電性導管１４０および第二導電性導管１４４と第三橋絡管１６０とで形成されたこの別の冷却回路内を流れる。その結果、第一分岐管１２８からの冷却流体の一部は第一導電性導管１４０を通って外側の通路に流れ、更に冷却回路１２６の第二分岐管１３０へ戻り第二導電性導管１４４を通って戻り通路を流れる。
【００２６】
第一導電性導管１４０および第二導電性導管１４４は電気を通すそれぞれの能力によって超伝導磁石と電源１２４との間の電気回路を形成する。その結果、第一ランプリード１３２および第二ランプリード１３６および電源１２４と組み合わされた第一導電性導管１４０および第二導電性導管１４４が超伝導磁石を作動させる。超伝導磁石の動作は周知であるから、記載の明瞭および簡略化のためにその作動プロセスの詳細は省く。管状の第一導電性導管１４０および第二導電性導管１４４が超伝導磁石の作動に使用される電流を供給することを述べれば充分である。第一導電性導管１４０および第二導電性導管１４４は、そこを流れる冷媒により過熱となることはない。従って、第一導電性導管１４０の温度および第二導電性導管１４４の温度はそれらの断面積をかなり減らしても許容温度範囲内に維持される。
【００２７】
必要であれば、超伝導磁石の作動が終了するときに第一導電性導管１４０および第二導電性導管１４４内の冷媒の流れを止めそして水冷キャビネット１２２の冷却容量を保つために、例えば弁のような流量制御装置を第一導電性導管１４０および／または第二導電性導管１４４、或いは、第一橋絡管１５２および第二橋絡管１５８に設けることが出来る。
【００２８】
他の実施例を示す図２における冷却回路１２６は、隔壁１１８の装置区画側、そして部分的に走査区画との間にＲＦ貫通パネル１２０を通って伸びる第一分岐管１２８および第二分岐管１３０をゴム製導管としている点で図１に示す実施例と異なっている。隔壁１１８の走査区画側において、第一導電性導管１４０は第一分岐管１２８を完成するために使用され、第二導電性導管１４４は冷却回路１２６の第二分岐管１３０を完成するために使用される。これに関し、任意の接合構造を用いて、第一および第二分岐管１２８、１３０の電気絶縁部を第一導電性導管１４０および／または第二導電性導管１４４に夫々接続することが出来る。
【００２９】
夫々の接合点から、第一導電性導管１４０は、傾斜コイ１１６の冷却用の適当な第一ポート（図示せず）に接続されるべく、補助天井１０６を通り天井空間１０７を通って伸びそして下降する。同様に、他の夫々の接合点に続き第二の導電性導管１４４が傾斜コイ１１６の冷却用の適当な第二ポート（図示せず）に接続されるべく、補助天井１０６を通り、天井空間１０７を通り、そして下降する。従って、弾性材料からなる電気的に絶縁体である導管の代わりに、隔壁１１８の走査区画側において導電性導管が傾斜磁場コイル１１６の冷却回路内に用いられる。しかしながら、設置の簡略化および傾斜磁場コイル１１６からの第一導電性導管１４０および第二導電性導管１４４の分離のために、第一導電性導管１４０および第二導電性導管１４４を非導電性で柔軟な導管部分(図示せず)で終端する。
【００３０】
第一導電性導管１４０の第一端は第一接続部１４２に固定されるが、第一パッチリード２００を有するこの実施例では、第一接続部１４２を介して第二ランプリード１３６にＲＦ貫通パネル１２０のサブパネルを通り接続される。第二導電性導管１４４の第一端は第二接続部１４６に固定されるが、第二パッチリード２０２を有するこの実施例では、第二接続部１４６を介して第一ランプリード１３２にＲＦ貫通パネル１２０のサブパネルを通り接続される。第一導電性導管１４０の第二端に、この実施例では第三パッチリード２０６を含む第三接続部２０４が固定され、クライオスタット１１０内の超伝導磁石のコイル(図示せず)への正極接続用に備えられたターレット１１２の適当な第一コネクタ（図示せず）に接続される。同様に、第二導電性導管１４４の第二端は、この実施例では第四パッチリード２１０を含む第四接続部２０８に固定され、そしてクライオスタット１１０内の超伝導磁石のコイル(図示せず)への負極接続のために備えられたターレット１１２の適当な第二コネクタ（図示せず）に接続される。
【００３１】
動作において、第一導電性導管１４０および第二導電性導管１４４は傾斜磁場コイル１１６への冷却流体の分配を行うが、走査区画１０２の分離ランプリードの代わりに超伝導磁石を作動させるための導電体としても作用する。
【００３２】
重複を避けるため、第一、第二、第三および第四接続部は第一、第二、第三および第四パッチケーブルを任意に夫々含むものと解釈すべきである。
【００３３】
必要であれば、電源１２４は水冷とすることができる。その場合、第一導管２１２および第二導管２１４を冷却回路１２６の第一分岐管１２８および第二分岐管１３０から引き出しそして水冷電源の適当な流体入口ポートおよび出口ポートに接続することが出来る。
【００３４】
実施例に示した電源１２４は従来考えられるような電源である必要はなく、電源とは任意の適当な電力源を含むものであり、単なる超伝導コイルを作動させるための電源である必要はない。この点において、そして図３に示すように、先の実施例における第一導電性導管１４０および第二導電性導管１４４は傾斜磁場コイル１１６に電力を供給するために使用される。従って、傾斜磁場コイルの“増幅器”または電源３００の正端子３０２が第一傾斜磁場コイルリード３０４に接続される。第一傾斜磁場コイルリード３０４は天井空間１０７を通りそして、正極接続用のＲＦ貫通パネル１２０の第一のフィルタ付コネクタポート３０６の第一側部に接続される。同様に、第二傾斜磁場コイルリード３０８は傾斜磁場コイル増幅器３００の負端子３１０に接続され、そして天井空間１０７を通り、負極接続用のＲＦ貫通パネル１２０の第二のフィルタ付コネクタポート３１０の第一側部に接続される。
【００３５】
前記実施例に対する関係におけるように、第一導電性導管１４０の第一端部は、第一パッチリード２００を含む第一接続部に固定され、そしてＲＦ貫通パネル１２０の第一のフィルタ付コネクタポート３０６の第二側部に第一接続部を介して接続される。第二導電性導管１４４の第一端は、第二パッチリード２０２を含む第二接続部に固定されてＲＦ貫通パネル１２０の第二のフィルタ付コネクタポート３１０の第二側部に第二接続部を介して接続される。第一導電性導管１４０の第二端部は第三パッチリード２０６を含む第三接続部に固定される。この例では、第三接続部は傾斜磁場コイル１１６への正極接続用に備えられた傾斜磁場コイル１１６の適当な第三電気的コネクタ（図示せず）に接続される。同様に第二導電性導管１４４の第二端部は第四パッチリード２１０を含む第四接続部に接続される。この例では、第四接続部は傾斜磁場コイル１１６への負極接続用に備えられた傾斜磁場コイル１１６の適当な第四の電気的コネクタ(図示せず)に接続される。
【００３６】
動作において、ＭＲＩシステム１００の動作中傾斜磁場コイル１１６に供給されるべき電力は傾斜磁場コイル１１６の冷却回路１２６の部分を形成する第一導電性導管１４０および第二導電性導管１４４を介して与えられる。第一導電性導管１４０および第二導電性導管１４４は管状であるから、第一導電性導管１４０および第二導電性導管１４４を流れる冷媒は第一導電性導管１４０および第二導電性導管１４４を冷却する。
【００３７】
ここでは接続部を第一導電性導管１４０および／または第二導電性導管１４４の定められた一つの端部に配置したが、第一導電性導管１４０および／または第二導電性導管１４４に対する接続部の接続点が第一導電性導管１４０および／または第二導電性導管１４４の絶対的な末端部に限定されることを意図するものではなく、むしろ第一導電性導管１４０および／または第二導電性導管１４４の適切な端部に接続しうることを意味するものである。接続部が第一導電性導管１４０および／または第二導電性導管１４４に接続される場合、第一導電性導管１４０および／または第二導電性導管１４４の夫々の長さに亘る適切な冷却を保証するための第一導電性導管１４０および／または第二導電性導管１４４に沿った距離は、第一導電性導管１４０の端部および／または第二導電性導管１４４の端部に充分近ければよい。同じく、第一導電性導管１４０および／または第二導電性導管１４４に対する第三橋絡管１６０の接続点の位置に対しても同じことが言える。
【００３８】
第一導電性導管１４０および／または第二導電性導管１４４は例えば銅またはアルミニウムのような適当な金属導電材料で形成することが出来る。
【００３９】
超伝導磁石のコイルおよび傾斜磁場コイルについて特に説明したが、それら導電体（導電性導管）は断層撮影システムの回路のような任意の電気回路にも使用できる。
【図面の簡単な説明】
【００４０】
【図１】本発明の一実施例を構成する導電体を用いる磁気共鳴イメージングシステム部分の概略図
【図２】本発明の他の実施例を構成する導電体を用いる磁気共鳴イメージングシステム部分の概略図
【図３】本発明の更に他の実施例を構成する導電体を用いる磁気共鳴イメージングシステム部分の概略図
【符号の説明】
【００４１】
１０２  走査区画
１０４  装置区画
１０６  補助天井
１０７  天井空間
１０８  超伝導磁石ユニット
１１０  クライオスタット
１１６  傾斜磁場コイル
１１８  隔壁
１２０  ＲＦ貫通パネル
１２２  水冷キャビネット
１２４，３００  電源
１２６  冷却回路
１２８  送り分岐管
１３０  戻り分岐管
１４０，１４４  導電性導管
１４２，１４６  接続部
２００，２０２、２０６，２１０  パッチリード
【図１】
2009172376.tif 000003
【図２】
2009172376.tif 000004
【図３】
2009172376.tif 000005